(57)【特許請求の範囲】
【請求項１】
前方の開口端に向けて先細りに形成されたドラム体であって、紐体の先端側を係止する紐体係止部と前記開口端から後方に向けて形成した結束作業用切欠とを具備するドラム体と、該ドラム体の内部に配設され結束用テープとして引出される巻テープと、結束用テープを切断するための前記作業用切欠の先端側に設けたテープカッターと、該カッターと前記巻テープの間にあって前記結束用テープをその粘着面側を上向きにした状態で仮着する仮着手段とから成り、紐体の先端側を前記ドラム体の紐体係止部に係止して当該ドラム体を所定数回転させることにより当該ドラム体の外周面に前記紐体の所定長を巻取り、この巻取り紐体に前記結束用テープを引出して被せ、この状態で当該紐体を手前に引出しドラム体から離脱させることにより、前記結束用テープが紐体を囲繞して結束すると共に、テープカッターにより切断されるようにしたことを特徴とする紐体定長巻取ドラム。
【請求項２】
請求項１の紐体定長巻取ドラムと、該ドラムのドラム体を所定数回転させるブレーキ付きモータと、前記ドラムの仮着手段の後方で結束作業用切欠を含む前記ドラム体の外周面に当該ドラム体の側方から紐体を供給する紐体ガイドと、該ガイドの先端と前記ドラム体との間にあって巻取られた紐体の後端側を切断する紐体カッターとを具備して成ることを特徴とする巻取機。
【請求項３】
紐体ガイドはその先端側をドラム体の回転軸と平行に往復動させるようにした請求項２の巻取機。
【発明の詳細な説明】
【０００１】
【発明の属する技術分野】
本発明は、新聞古紙などを結束するために使用する紙紐などの紐体を、結束に使用する一定の長さだけ巻取り、巻取った状態で仮結束するための紐体定長巻取ドラムとこのドラムを用いた巻取機に関するものである。
【０００２】
【従来の技術】
従来から、各家庭において、読み終わった後の新聞は、通常、荷造り用のビニール紐など、新聞紙とは材質の異なる紐などにより結束した状態で古紙回収業者などに回収され再生資源として利用されている。
【０００３】
しかし乍ら、それらの新聞古紙を再生資源として利用するためには、ビニール紐（合成樹脂系の紐、以下ビニール紐という）が一緒であると異物が再生原料に混入したままになるので、その都度ビニール紐を切断して除去していたが、これでは手間がかかる上に、ビニール紐の処分も別途考えなければならないという問題があった。また、再生資源として利用せずにビニール紐で結束したまま焼却処分すると、ビニール紐は高発熱量のため焼却炉を傷める上に、有害ガスを発生するなどして好ましくない。更に、ビニール紐で結束したままの状態で埋設処分すると、ビニール紐だけが自然環境中に残留してしまうという問題があった。
【０００４】
そのため、最近では、新聞古紙を結束するためにビニール紐などの新聞紙とは異なる材質の紐材を使用せずに、撚ってある程度の太さにした紙紐が使用されるようになって来ている。このような紙紐は、数メートルから数十メートルのものが巻かれた状態で市販されており、各家庭では、新聞古紙を結束するのに必要な長さ分その都度引き出し、切断して使用している。このような紙紐として例えば、特開平２０００−７０１４号公報に、古紙リサイクル用紙紐として、新聞古紙再生パルプやその他の再生パルプを原料とした再生紙を撚り上げて紐状に形成したものが開示されている。
【０００５】
しかし乍ら、紙紐の巻状物から結束に必要な長さ分だけ引き出して切断するとき、間違えて短く切断してしまうとか、逆に長く切断してしまうことがあり、紙紐を無駄に消費してしまうことが多い。
そこで、新聞古紙を結束するのに通常使用される紙紐の長さを経験から割り出して例えば２ｍとか３ｍとかに長さを定め、その長さに切断したものを数回から十数回に小さく巻いた状態で仮結束したものが、数束、袋詰めされた形で市販されるようになった。
【０００６】
上記の紙紐は、切断の手間がかからず、その紙紐の長さに合わせて新聞古紙の量を調節しそのまま結束すればよいので、きわめて使用勝手がよく、また、再生資源として利用するときも新聞古紙と一緒に再生利用でき、更に焼却処分や埋設処分する場合も、従来のビニール紐により結束していたときのような問題は生じない。
【０００７】
しかし、上記の小さく巻いた状態で仮結束した紙紐の製作は、人が掌などに一定の長さだけ巻取って切断し、仮結束することにより行われているが、これでは手間が掛かる上に、巻回したものの大きさにばらつきがあり、また、大量生産ができないため、需要に追いつかないという問題があった。
そこで、これらの作業を機械化して完全自動化する試みも行われているが、紙紐などの紐状物の供給工程，巻取り工程，仮結束工程，切断工程など、複数の工程を短時間で繰り返し行うとき、いずれかの工程でトラブルがあるとすべての工程を止め、再セットアップして最初から開始する必要があり、現時点ではこのような歩留まりが多く、却って生産性が上がらないという問題が生じていた。
【０００８】
【発明が解決しようとする課題】
本発明は、上記従来の紙紐などの紐体を数回から十数回に巻いてその状態で仮結束して製品化するのに、完全自動化は現時点では難しく、また、人手による作業では大量に生産できないという問題点があることに鑑み、巻取りから結束までを効率的に行えるようにした紐体定長巻取ドラムとこのドラムを用いた新たな巻取機を提供することをその課題とするものである。
【０００９】
【課題を解決するための手段】
上記課題を解決することを目的としてなされた本発明の紐体定長巻取ドラムの構成は、前方の開口端に向けて先細りに形成されたドラム体であって、紐体の先端側を係止する紐体係止部と前記開口端から後方に向けて形成した結束作業用切欠とを具備するドラム体と、該ドラム体の内部に配設され結束用テープとして引出される巻テープと、結束用テープを切断するための前記作業用切欠の先端側に設けたテープカッターと、該カッターと前記巻テープの間にあって前記結束用テープをその粘着面側を上向きにした状態で仮着する仮着手段とから成り、紐体の先端側を前記ドラム体の紐体係止部に係止して当該ドラム体を所定数回転させることにより当該ドラム体の外周面に前記紐体の所定長を巻取り、この巻取り紐体に前記結束用テープを引出して被せ、この状態で当該紐体を手前に引出しドラム体から離脱させることにより、前記結束用テープが紐体を囲繞して結束すると共に、テープカッターにより切断されるようにしたことを特徴とするものである。
【００１０】
また、上記課題を解決することを目的としてなされた本発明の巻取機の構成は、上記の紐体定長巻取ドラムと、該ドラムのドラム体を所定数回転させるブレーキ付きモータと、前記ドラムの仮着手段の後方で結束作業用切欠を含む前記ドラム体の外周面に当該ドラム体の側方から紐体を供給する紐体ガイドと、該ガイドの先端と前記ドラム体との間にあって巻取られた紐体の後端側を切断する紐体カッターとを具備して成ることを特徴とするものである。
【００１１】
上記の紐体ガイドはその先端側を巻取ドラムの回転軸と平行に往復動させる構成にしてもよく、往復動させることにより、紐体は巻取ドラムの外周面に前後に並んで１段又は２段に巻取られる。
【００１２】
【発明の実施の形態】
次に、本発明の実施の形態例を図に拠り説明する。図１は本発明紐体定長巻取ドラムの一例の斜視図、図２〜図５は、図１のドラムによる紐体の定長巻取工程を順に示す図で、図２は図１のドラムに紐体先端側を係止した状態を示す斜視図、図３は図１のドラムにおける紐体の巻取り状態を示す斜視図、図４は所定数巻取った状態において結束用テープを引出し紐体に被せた状態を示す斜視図、図５は図４の状態の巻取紐体をドラム体から外すことにより結束用テープで巻取紐体の一箇所を囲繞して結束する状態を示す斜視図、図６は図４と図５により示した巻取った紐体の結束操作の概略を示す一部切開側面図、図７は図１の巻取ドラムを組み込んだ本発明巻取機の一例の一部切開斜視図である。
【００１３】
図において、１は本発明の一例の紐体定長巻取ドラム、２はこの巻取ドラム１の主体をなすドラム体で、前方の開口端３に向けて先細りのテーパ状に形成され、以下の構成を具備している。即ち、４はこのドラム体２の開口端３から後方に切込み形成した後述する紐体ｈの先端側を差込み係止する細幅の紐体係止部、５は同じくドラム体２の開口端３から後方に切込み形成した結束作業用切欠である。紐体係止部４はここでは溝状の切欠であるが、紐体ｈの先端側を差込むだけの孔や紐体ｈの先端側をドラム体２の外周面に挟持することなどにより保持できる構造のものであればよい。
【００１４】
６はドラム体２の内部に、テープの繰出し方向をドラムの回転軸方向に沿わせて配置し、かつ、取り替え可能に設けた巻テープで、この巻テープ６から結束用テープＴが引出される。6aはこの巻テープ６のリールを支持させた支持軸、6bはこの支持軸6aをドラムの回転軸と直交する向きでドラム体２の内部に、着脱可能に支持する軸受部材である。７は結束作業用切欠５の先端側に設けたテープカッターで、巻テープ６から引出した結束用テープＴを切断するためのものである。7aはこのテープカッター７の刃でここでは上向きに設けてある。なお、結束用テープＴはここでは粘着紙テープを使用しているが、布製や合成樹脂製などカッターで切断できれば材質は問わない。
【００１５】
８は上記の巻テープ６とテープカッター７の間にあってこのカッター７の後面に設けた結束用テープＴの仮着手段で、ここではテープカッター７から後方に突出させたステンレス製などの棒状部材により形成されている。この仮着手段８は、巻テープ６から少し引出された結束用テープＴの先端側をその上面を向いた粘着面において仮り止めするためのものである。なお、仮着手段８は、ドラム体２の内部に直接取付けた態様で設けてもよい。また、結束用テープＴの粘着力が強い場合は、接着性を緩和するため、テフロンスプレー等で表面コートするとか、合成樹脂等の被覆をするとよい。
【００１６】
次に、図２〜図５により、上記構成の紐体定長巻取ドラムの使用態様を説明する。図２は図１に示した巻取ドラム１における紐体係止部４に紐体ｈの先端側を差込み係止した状態を示している。ここで、紐体ｈは紙を撚って形成した直径約２〜４ｍｍ程度の紙紐であるが、紙紐以外のもの、例えば、生分解性の合成樹脂製の紐などでもよい。図３は図２に示した状態からドラム体２を10回転させてこのドラム体２の外周面に紐体ｈを巻取った状態を示している。このドラム体２は手動で回転させることもできるが、本発明では後に述べるようにブレーキ付モータによって一回の回転数を数回から十数回に制御するようにしている。回転数はドラム体２の外径と巻取りたい紐体ｈの長さによって調節されるが、ここでは３ｍの長さで10回に巻取るようにしている。
【００１７】
図４は図３に示した状態から仮着していた結束用テープＴを更に引出して巻取った紐体ｈの上面に被せた状態を示し、図５は図４に示した状態から結束した紐体Whを、ドラム体２から外すように手前に引出すことにより、結束用テープＴで囲繞してからドラム体２から離脱させると共に、テープカッター７により切断される状態を示している。また、図６は、図４から図５の状態に変化する巻取紐体Whの結束動作を示しており、Ａは図４に示した状態を、Ｂはドラム体上で巻取られた紐体Whがドラム体２から外されるとき、結束用テープＴで囲繞される状態を、Ｃは図５に示した状態を示している。
【００１８】
次に、図７により、図１に示した巻取ドラムを組み込んで成る本発明巻取機の一例について説明する。なお、図７において、図１〜図６における符号と同一の符号は同一の部材を示している。
【００１９】
而して、図７において、Ｍはドラム体２の後端側に設けたブレーキ付モータ、Ｇはドラム体２の側方からドラム体２の外周面に紐体ｈを供給するための紐体ガイドである。この紐体ガイドＧは、先端側ガイドG1と後端側ガイドG2に分離されていて、先端側ガイドG1はストロークシリンダー10によってドラム体２の回転軸に平行に前後に往復動させられる。後端側ガイドG2はその姿勢を適宜変更でき供給する紐体ｈのテンションコントロールになる。紐体ｈを供給する位置は、巻取ドラム１の仮着手段８の後方で結束作業用切欠５を含む外周面であり、紐体ｈを巻取るとき、先端側ガイドG1を前後に往復動させることによって、紐体ｈはドラム体２の外周面において前後に並んで１段又は２段に巻取られる（図６のＡ参照）。なお、Ｈは紐体ガイドＧに供給される紐体ｈの巻状物である。
【００２０】
11は上記の紐体ガイドＧの先端とドラム体２との間に設けた紐体切断カッターで、ここではカッター刃11aをピアノ線11bを介して下側のフットペダル11cにより押下げ操作できるようにしてある。
【００２１】
而して、上記構成の巻取機は、作業者が操作し易いように適宜高さの操作台12上に設けられ、作業者が巻取ドラム側にいて、紐体ｈの先端側の紐体係止部４への差込み、ドラム体２の回転、巻取った紐体Whの後端側の切断、結束用テープＴの引出し、巻取紐体Whのドラム体２からの引出しと結束用テープＴによる囲繞、結束用テープＴの切断という一連の操作をする。なお、13はブレーキ付モータＭの保護カバーである。
【００２２】
【発明の効果】
本発明は以上の通りであって、本発明の紐体定長巻取ドラムによれば、一定の長さの紐体を高速で巻取り、結束することができるので、新聞古紙などを結束するために使用される紙紐などの小巻体を大量に生産することができる。その結果、従来の荷造り用のビニール紐など新聞紙とは材質の異なるの紐体を使用する必要がなくなり、新聞古紙を再生資源として利用し易くなるという効果が得られる。また、焼却処分や埋め立て処分をする場合でも、焼却炉を傷めることはなく、自然環境を破壊することがないという格別の効果が得られる。
【００２３】
また、上記の紐体定長巻取ドラムを組込んだ本発明の巻取機によれば、上記紐体定長巻取ドラムによる紙紐などの小巻体の生産作業をさらに効率的に行うことができるという格別の効果が得られる。
【図面の簡単な説明】
【図１】本発明紐体定長巻取ドラムの一例の斜視図。
【図２】図１のドラムに紐体先端側を係止した状態を示す斜視図。
【図３】図１のドラムにおける紐体の巻取り状態を示す斜視図。
【図４】図３に示した状態から巻取紐体に結束用テープを被せた状態を示す斜視図。
【図５】図４に示した状態の巻取紐体をドラム体から外すとき、結束用テープでその紐体が囲繞されてドラム体から離脱させられる状態を示す斜視図。
【図６】図４と図５に示す巻取紐体の結束操作の展開順を示す一部切開側面図。
【図７】図１の巻取ドラムを組み込んだ本発明巻取機の一例の一部切開斜視図。
【符号の説明】
１    紐体定長巻取ドラム
２    ドラム体
３    開口端
４    紐体係止部
５    結束作業用切欠
６    巻テープ
７    テープカッター
８    仮着手段
10    ストロークシリンダー
11    紐体カッター
12    操作台
13    保護カバー
Ｔ    結束用テープ
Ｇ    紐体ガイド
Ｍ    ブレーキ付モータ
ｈ    紐体
Wh    巻取紐体
【図１】
0003643769.tif 000002
【図２】
0003643769.tif 000003
【図３】
0003643769.tif 000004
【図４】
0003643769.tif 000005
【図５】
0003643769.tif 000006
【図６】
0003643769.tif 000007
【図７】
0003643769.tif 000008